(57)【要約】【課題】  据付位置に応じて左右いずれにも換気装置を設けることができ、フィルタの汚れも容易に確認することができる空気調和機を提供する。【解決手段】  熱交換器５、ドレンパン６を備えた本体ケース１を有し、ドレンパン６内のドレン水を排水するドレン口７をドレンパン６の両側に設け、一方のドレン口７を使用し、不使用の他方のドレン口７を閉塞すると共に、本体ケース１の不使用のドレン口７の近傍に換気口２２を開口し、不使用のドレン口７に取付けた換気口固定装置１０の換気口接続部１２を換気口２２にフィルタを介して取付けるようにした。【選択図】      図１
2005282870.tif 000002
【特許請求の範囲】
【請求項１】
熱交換器、ドレンパンを備えた本体ケースを有し、前記ドレンパン内のドレン水を排水するドレン口を該ドレンパンの両側に設け、一方のドレン口を使用し、不使用の他方のドレン口を閉塞すると共に、前記本体ケースの前記不使用のドレン口の近傍に換気口を開口し、前記不使用のドレン口に取付けた換気口固定装置の換気口接続部を前記換気口にフィルタを介して取付けるようにしたことを特徴とする空気調和機。
【請求項２】
前記本体ケースの両ドレン口の近傍に、スリットにより複数の換気口の開口部を表示したことを特徴とする請求項１記載の空気調和機。
【請求項３】
前記換気口固定装置を、前面及び側面に通気口が設けられた換気口接続部を有し他方の側にホース接続部を有する本体部と、該本体部から分岐して前記ドレン口に接続されるドレン口接続部とによって構成したことを特徴とする請求項１又は２記載の空気調和機。
【請求項４】
前記フィルタを、フィルタ部を有し前記換気口に着脱可能に装着される本体部と、前記フィルタ部の近傍において前面側に突設され前記換気固定装置の換気口接続部が接続されるガイド部とからなるフィルタ部材によって構成したことを特徴とする請求項１〜３のいずれかに記載の空気調和機。
【発明の詳細な説明】
【技術分野】
【０００１】
本発明は空気調和機に係り、より詳しくは、空気調和機のドレン口及び換気装置に関するものである。
【背景技術】
【０００２】
従来の空気調和機に、吸込口から室内気を吸い込みかつ吹出口から吹き出すためのファンと、前記室内気と室外ユニットから供給された冷媒との間で熱交換を行う室内熱交換器と、室内気を吸入する換気ファンと該換気ファンに連結され吸入した前記室内気を室外へ導いて排気する換気手段とを具備してなる換気装置と、各種電気回路素子よりなる室内ユニット制御部とを備え、前記吸入口及び前記吹出口が前方又は下方に開口する室内ユニットにおいて、前記換気装置の換気吸込口が、前記室内ユニットの側方に開口するように形成したものがある（例えば、特許文献１参照）。
【特許文献１】特開２００１−２１５０２９号公報（第３−４頁、図３）
【発明の開示】
【発明が解決しようとする課題】
【０００３】
従来の空気調和機は、換気装置の換気吸込口が室内ユニットの片側だけに設けられているため、換気ホースを出す方向が限定されてしまい、据付性が悪いという問題があった。
また、室内ユニットの下部にフィルタ交換穴を設け、このフィルタ交換穴から室内ユニット内にフィルタを挿入するようにしているため、意匠上見た目がよくないばかりでなく、フィルタの汚れ具合がわからないという問題もあった。
【０００４】
本発明は、上記の課題を解決するためになされたもので、据付位置に応じて左右いずれにも換気装置を設けることができ、フィルタの汚れも容易に確認することのできる空気調和機を提供することを目的としたものである。
【課題を解決するための手段】
【０００５】
本発明に係る空気調和機は、熱交換器、ドレンパンを備えた本体ケースを有し、前記ドレンパン内のドレン水を排出するドレン口を該ドレンパンの両側に設け、一方のドレン口を使用し、不使用の他方のドレン口を閉塞すると共に、前記本体ケースの前記不使用のドレン口の近傍に換気口を開口し、前記不使用のドレン口に取付けた換気口固定装置の換気口接続部を前記換気口にフィルタを介して取付けるようにしたものである。
【発明の効果】
【０００６】
本発明によれば、空気調和機の据付場所に応じて左右どちらにでも換気装置を設けることができるので、きわめて便利で作業性を向上することができ、フィルタの汚れの確認も容易である。
【発明を実施するための最良の形態】
【０００７】
図１は本発明の一実施の形態に係る空気調和機の前面意匠部を取外した状態の要部の斜視図、図２は図１のドレン口と換気口固定装置の詳細説明図である。
本発明に係る空気調和機は、図８に示すように、本体ケース１の前面意匠部２の上面に設けた吸込み口３から外気を吸込み、熱交換器５（図１参照）によって熱交換された温風（又は冷風）を吹出し口から吹出すようになっている。なお、外気の吸込み口は前面意匠部２の正面に設けたものもある。
【０００８】
本体ケース１内の前面側には、図１、図２に示すように、熱交換器５が設置されており、その下側にはドレン水を流すためのドレンパン６が配置され、ドレン水はその両側に設けたドレン口７のいずれか一方から排出される。８はドレン口７に設けた係止部である。この場合、空気調和機の据付位置に応じて、ドレン水を排水する側のドレン口７にはドレンホース（図示せず）が接続され、排水しない側のドレン口７にはドレンキャップ９を嵌入して閉塞する。
【０００９】
前述のように、空気調和機においては、室内の空気を本体ケース１内に取入れて室外に排出する換気装置を備えている。
本発明においては、ドレンキャップ９が嵌合されて使用していないドレン口７に、換気口固定装置１０を取付けて、換気口に接続することにより換気装置を構成するようにしたものである。この換気口固定装置１０は、一端の前面に本体ケース１内に連通する通気口１３（以下、第１の通気口という）を、また側面に室内に開口する通気口１４を有し、後述の本体ケース１に設けた換気口２２に取付けるためのほぼ四角筒状の換気口接続部１２を備え、他端に後述の換気ホース４１が接続されるホース接続口１５が設けられた本体部１１と、本体部１１から分岐され、ドレン口７に嵌合して固定されるドレン口接続部１６とからなっている。１７はドレン口接続部１６に設けられ、ドレン口７の係止部８に係止する係止爪である。なお、換気口接続部１２は円筒状に形成してもよい。
このような換気口固定装置１０は、そのドレン口接続部１６が使用しないドレン口７に嵌合され、係止爪１７を係止部８に係止して一体的に固定される。
【００１０】
また、本発明においては、本体ケース１の左右の側面及び左右の下面のドレン口の近傍に、図３に示すように、配管取付部２０が設けられており、この各配管取付部２０は、例えば所定の範囲をそれぞれ囲んだスリット２１により表示されている。そして、空気調和機の据付場所に応じて、使用しないドレン口７の近傍の１か所の配管取付部２０を選定し、スリット２１を利用して切り離して開口部２２（以下、換気口という）を形成する。配管取付部２０の切り離しにあたっては、上記のようにスリット２１を利用してもよく、あるいは、ニッパや鋸等を用いて切り離してもよい。
【００１１】
そして、配管取付部２０を切り離して形成した換気口２２にフィルタ部材２５を装着する。
このフィルタ部材２５は、例えば図４に示すように弾性材からなり、外周に換気口２２の周縁部に嵌合する嵌合溝２７が設けられた本体部２６の中央部には、換気口固定装置１０の第１の通気口１３に対応した大きさのフィルタ部２８が設けられている。なお、フィルタ部２８は本体部２６と一体に形成してもよく、あるいは本体部２６に着脱可能に装着するようにしてもよい。また、上部には、嵌合溝２７の一部が省略されてその部分に、外方（図の左方）にほぼＵ字状に折り曲げたのち、先端部を斜め上方に折曲げて係止片３０が形成された係止部２９が設けられており、係止片３０の外側には係止突部３１が突設されている。
【００１２】
また、フィルタ部２８の外面側の上下には、外方にほぼ水平に延設されたのち、先端部が斜め上方（又は下方）に折曲げられた舌片状のガイド片３３ａ，３３ｂからなるガイド部３２が設けられている。このガイド片３３ａ，３３ｂの幅は換気口固定装置１０の換気口接続部１２の幅とほぼ等しく、上下の内のり高さは換気口接続部１２の高さとほぼ等しいか又は若干小さく形成されている。なお、ガイド片３３ａ，３３ｂの上下の内りの高さを、水平部の先端部になるにしたがって若干小さくなるようにしてもよく、また、換気口固定装置１０の換気口接続部１２の形状に対応してガイド片３３ａ，３３ｂを円弧状に形成してもよい。
【００１３】
上記のように構成したフィルタ部材２５は、図５に示すように、本体ケース１に設けた換気口２２の周縁部に嵌合溝２７を嵌合すると共に、係止部２９の係止片３０を圧下して換気口２２内に挿入し、係止片３０を換気口２２の内側に係止させ、その外側に位置する係合突部３１とにより換気口２２の上端部を挟持させる。これにより、フィルタ部材２５は換気口２２へ取付けられる。
【００１４】
上記のようにして換気口２２に、これに装着されたフィルタ部材２５のガイド部３２のガイド片３３ａ，３３ｂの間に、図６に示すように、使用しない方のドレン口７にドレン口接続部１６が接続された換気口固定装置１０の換気口接続部１２をワンタッチで圧入することより、換気口固定装置１０が取付けられ、これにより換気装置が形成される。このとき、本体ケース１内に連通する第１の通気口１３はフィルタ部２８と対向し、第２の通気口１４は室内に開口する。
そして、換気口固定装置１０のホース接続部１５に直接又は場所によってはＬ字状の接続管４０を介して換気ホース４１を接続して外部に取出す。なお、図示してないが、換気ホース４１には換気ファンが接続されている。
【００１５】
上記のような換気装置を備えた空気調和機においては、換気ファンを駆動することにより、換気口固定装置１０の第２の通気口１４から室内の空気が取り込まれ、第１の通気口１３からフィルタ部２８を経て本体ケース１内に流入し、本体ケース１内を換気して換気口取付装置１０、ホース４１（場合によっては接続管４０を介して）を経て外部に排出される。
【００１６】
上記の説明では、フィルタ部材２５のガイド部３２を舌片状の上下のガイド片３３ａ，３３ｂで形成した場合を示したが、両ガイド片３３ａ，３３ｂの間に圧入した換気口固定装置１０の換気口接続部１２が横方向に移動しないように、例えば図７（ａ）に示すように、両ガイド片３３ａ，３３ｂの水平部の両側に、水平部と直交して下方（又は上方）に折曲げられた横壁３４を設けてもよく、あるいは、図７（ｂ）に示すように、ガイド部３２を換気口接続部１２が圧入しうる四角筒状に形成して上下壁を斜め上方（又は下方）に延設し、一方の側壁に換気取付部１２の第２の通気孔１４に対応して開口部３５を設けると共に、両側壁の先端部から基部に向うスリット３６を設けるなど、適宜変更することができる。なお、換気口固定装置１０の換気口接続部１２の形状に応じて、図７（ａ）の両ガイド片３３ａ，３３ｂを円弧状に形成し、また図７（ｂ）のガイド部３２を円筒状に形成するなど、便宜変更することができる。
【００１７】
さらに、ガイド部材２５は、フィルタ部２８を有し、本体ケース１の換気口２２に着脱可能に装着され、かつ換気口固定装置１０の換気口接続部１２が着脱可能に装着しうるものであれば、他の構造のものであってもよい。
【００１８】
上記のように構成した本発明によれば、空気調和機の据付場所に応じて、本体ケース１の左右どちらにも換気装置を設けることができるので、きわめて便利であり、作業性を向上することができる。
また、換気口固定装置１０は換気口２２に装着したフィルタ部材２５にワンタッチで着脱できるので、換気口固定装置１０を引き抜くだけでフィルタ部２８の汚れ具合を見ることができ、フィルタ交換のメンテナンスが容易である。
【図面の簡単な説明】
【００１９】
【図１】本発明の一実施の形態に係る空気調和機の前面意匠部を取外した状態の要部の斜視図及び換気口固定装置の斜視図である。
【図２】図１のドレン口と換気口固定装置の詳細説明図である。
【図３】本体ケースに設けた換気口の一例の説明図である。
【図４】換気口に取付けたフィルタ部材の一例の斜視図である。
【図５】換気口にフィルタ部材を取付けた状態を示す断面図である。
【図６】換気口に換気口固定装置を取付けた状態を示す説明図である。
【図７】フィルタ部材の他の例の斜視図である。
【図８】本発明の空気調和機の外観図である。
【符号の説明】
【００２０】
１  本体ケース、５  熱交換器、６  ドレンパン、７  ドレン口、１０  換気口固定装置、１２  換気口接続部、１３  第１の通気口  １４  第２の通気口、１６  ドレン口接続部、２０  配管取付部、２１  スリット、２２  換気口、２５  フィルタ部材、２６  本体部、２８  フィルタ部、２９  係止部、３２  ガイド部、４１  換気ホース。
【図１】
2005282870.tif 000003
【図２】
2005282870.tif 000004
【図３】
2005282870.tif 000005
【図４】
2005282870.tif 000006
【図５】
2005282870.tif 000007
【図６】
2005282870.tif 000008
【図７】
2005282870.tif 000009
【図８】
2005282870.tif 000010